(57)【要約】【課題】車両走行中の振動によるがたつきを軽減し、プロテクタ本体の搭載安定性を高めることができ、コネクタ接続の信頼性を向上することができるハーネスプロテクタを提供する。【解決手段】プロテクタ本体１２に、ワイヤハーネス１１の端部に接続されたハーネス側コネクタを装着するためのコネクタ装着部を開口形成し、プロテクタカバー１３に、コネクタ装着部２８の一部を形成するとともに、相手方の機器側コネクタ６２に当接する当て板部５８を突出して形成する。プロテクタカバー１３を、ヒンジ部４９により接続された固定カバー１３ａと開閉カバー１３ｂとから構成し、開閉カバー１３ｂに当て板部５８を設ける。プロテクタ本体１２の端部に、ブラケット５５に固定されるブラケット装着部３０を設け、当て板部５８をブラケット装着部３０の反対側に位置させる。【選択図】　　　図１
2004135431.tif 000002
【特許請求の範囲】
【請求項１】
プロテクタ本体と、該プロテクタ本体に合体するプロテクタカバーとでワイヤハーネスを保護するハーネスプロテクタにおいて、
前記プロテクタ本体に、前記ワイヤハーネスの端部に接続されたハーネス側コネクタを装着するためのコネクタ装着部が開口形成され、前記プロテクタカバーに、該コネクタ装着部に対応して機器側コネクタに当接する当て板部が突出形成されたことを特徴とするハーネスプロテクタ。
【請求項２】
前記当て板部が交差する壁部で構成されたことを特徴とする請求項１記載のハーネスプロテクタ。
【請求項３】
前記プロテクタカバーが、ヒンジ部により接続された固定カバーと開閉カバーとからなり、該開閉カバーに前記当て板部が設けられたことを特徴とする請求項１又は２記載のハーネスプロテクタ。
【請求項４】
前記プロテクタ本体の一端部側に、ブラケットに係合するブラケット装着部が設けられ、前記当て板部が該プロテクタ本体の他端部側に位置することを特徴とする請求項１〜３の何れか１項に記載のハーネスプロテクタ。
【発明の詳細な説明】
【０００１】
【発明の属する技術分野】
本発明は、自動車などの車体に沿って配索されるワイヤハーネスを保護するためのハーネスプロテクタに関するものである。
【０００２】
【従来の技術】
図６には、従来のハーネスプロテクタの一例が示されている（特許文献１）。
【０００３】
ハーネスプロテクタは、車体等に配索されるワイヤハーネスを保護するためのものである。図示するハーネスプロテクタ７０の上部は開口形成されていて、開口からワイヤハーネス７７が寝かされた状態で収納されるようになっている。
【０００４】
このハーネスプロテクタ７０は、長樋状の幹線挿通部７１が主体部とされ、主体部の端部に短樋状の分岐線導出部７２が突出して設けられている。この例では、分岐線導出部７２が３箇所に設けられているが、分岐線導出部７２の数は任意である。
【０００５】
車両内において、ハーネスプロテクタ７０の設置スペースの採れない箇所には、分岐線導出部７２を設けることができないため、幹線挿通部７１に切欠状の開口部７３が設けられている。本例では、両側の側壁７４に一つずつ開口部７３が設けられているが、数を制限するものではない。
【０００６】
幹線挿通部７１のワイヤハーネス７７は、側壁７４内面に突設された突出片７５の下側に収容され、突出片７５の弾性力によって上から押し付けられ、外側に抜け出すことが防止されている。分岐線導出部７２の内側には、モールディング７８やテーピング等の手段によって分岐線７７ａが固定されている。開口部７３のワイヤハーネス７７は、分岐線７７ａがそのまま外側に導出している。
【０００７】
ハーネスプロテクタ７０の外側に導出されたワイヤハーネス７７（分岐線７７ａ）の先端部には、複数の端子収容室８１を有するコネクタ８０が取り付けられている。端子収容室８１には、ワイヤハーネス７７を構成する各電線の端末に接続された端子（図示せず）が収容保持されている。コネクタ８０には、各種の車両搭載部品や制御装置などの相手方コネクタ（図示せず）が接続され、バッテリーからの電源電流の供給や信号電流のやりとりが行われるようになっている。
【０００８】
【特許文献１】
実公平６−４９０６０号公報（第１頁、第４図）
【０００９】
【発明が解決しようとする課題】
しかしながら、前記従来のハーネスプロテクタ７０では、解決すべき以下の問題点がある。
【００１０】
一つには、ハーネスプロテクタ７０が車両走行中の振動によってがたつきを生じる心配がある。ハーネスプロテクタ７０は、車体パネルにねじやボルト等の締結部材で固着されたり、車体パネルから突出するブラケットに固定されたりするものであるが、取付状態や取付位置によっては、がたつきを生じることがある。
【００１１】
ハーネスプロテクタ７０ががたつきを生じると、ワイヤハーネス７７がハーネスプロテクタ７０のエッジに擦れ、断線などの損傷を生じ、電気的接続の信頼性が損なわれることとなる。特に、開口部７３に位置するワイヤハーネス７７は、絶縁被覆部がエッジと擦れ合って切れたりすることがある。
【００１２】
また一つには、開口形成されたハーネスプロテクタ７０の上部がカバーで覆われていないため、車両走行中の振動により、ワイヤハーネス７７が突出片７５を押し上げて、ハーネスプロテクタ７０の外側に抜け出す心配もある。ハーネスプロテクタ７０の外側に導出されたワイヤハーネス７７は、何ら固定されていないため、車両の振動とともにばたつき、コネクタ同士が外れる心配もある。
【００１３】
本発明は、上記した点に鑑み、車両走行中の振動によるがたつきを軽減し、プロテクタ本体の搭載安定性を高めることができ、コネクタ接続の信頼性を向上することができるハーネスプロテクタを提供することを目的とする。
【００１４】
【課題を解決するための手段】
上記目的を達成するために、請求項１記載の発明は、プロテクタ本体と、該プロテクタ本体に合体するプロテクタカバーとでワイヤハーネスを保護するハーネスプロテクタにおいて、前記プロテクタ本体に、前記ワイヤハーネスの端部に接続されたハーネス側コネクタを装着するためのコネクタ装着部が開口形成され、前記プロテクタカバーに、該コネクタ装着部に対応して固定側コネクタに当接する当て板部が突出形成されたことを特徴とする。
【００１５】
上記構成によれば、プロテクタ本体とプロテクタカバーとが合体することで、車体に沿って配索されるワイヤハーネスが外部干渉などから保護されて、電気的接続の信頼性が維持され、プロテクタ本体からのワイヤハーネスの抜け出しが防止される。
【００１６】
そして、ハーネス側コネクタがコネクタ装着部に装着されることで、ハーネス側コネクタの相対的な動きが拘束され、車両振動によるコネクタのがたつきが防止され、相嵌合するコネクタが抜け外れることがなくなり、コネクタ接続の信頼性が高まる。
【００１７】
また、当て板部が固定側コネクタに当接することで、ハーネスプロテクタの相対的な動きが拘束され、車両振動によるハーネスプロテクタのがたつきが防止され、ハーネスプロテクタの搭載安定性が向上する。
【００１８】
また、請求項２記載の発明は、請求項１記載のハーネスプロテクタにおいて、前記当て板部が交差する壁部で構成されたことを特徴とする。
上記構成によれば、当て板部の交差する壁部が固定側コネクタに２面拘束状態で当接するから、ハーネスプロテクタの平面的な動きが拘束されて、ハーネスプロテクタの互いに直交する２方向のがたつきが防止される。
【００１９】
また、請求項３記載の発明は、請求項１又は２記載のハーネスプロテクタにおいて、前記プロテクタカバーが、ヒンジ部により接続された固定カバーと開閉カバーとからなり、該開閉カバーに前記当て板部が設けられたことを特徴とする。
【００２０】
上記構成によれば、プロテクタカバーが固定カバーと開閉カバーとからなっているから、ハーネス側コネクタに固定側コネクタを接続する際には開閉カバーを開けながらコネクタ接続が行われ、接続後は開閉カバーを閉じることでコネクタがハーネスプロテクタに固定される。また、当て板部が開閉カバーに形成されているから、開閉カバーを閉じることで、固定側コネクタに当て板部を押し当てることができる。
【００２１】
また、請求項４記載の発明は、請求項１〜３の何れか１項に記載のハーネスプロテクタにおいて、前記プロテクタ本体の一端部側に、ブラケットに係合するブラケット装着部が設けられ、前記当て板部が該プロテクタ本体の他端部側に位置することを特徴とする。
【００２２】
上記構成によれば、ハーネスプロテクタがブラケットと固定側コネクタとに２点で支持された状態となり、相乗効果によりハーネスプロテクタのがたつきがより一層確実に防止される。
【００２３】
【発明の実施の形態】
以下に本発明の実施の形態の具体例を図面を用いて詳細に説明する。
図１〜４は、本発明に係るハーネスプロテクタの一実施形態を示すものである。
【００２４】
図示するように、本発明は、ワイヤハーネス１１を挿通させるプロテクタ本体１２にコネクタ装着部２８が開口形成され、プロテクタカバー１３に、コネクタ装着部２８に対応し機器側コネクタ６２に当接する当て板部５８が突出形成されたことを第１の特徴としている。
【００２５】
プロテクタ本体１２にコネクタ装着部２８が開口形成されることで、ハーネス側コネクタの相対的な動きが拘束され、車両振動によるハーネス側コネクタのがたつきが防止され、相嵌合するコネクタ同士が抜け外れることがなくなり、コネクタ接続の信頼性が高まるようになっている。当て板部５８については後述するが、当て板部５８が相手方の機器側コネクタ６２に当接することで、ハーネスプロテクタ１０の相対的な動きが拘束され、車両振動によるハーネスプロテクタ１０のがたつきが防止されるようになっている。
【００２６】
プロテクタカバー１３は、ハーネスプロテクタ１０の上部開口１５に対応した形状に形成されており、ヒンジ部４９で連結された固定カバー１３ａ及び開閉カバー１３ｂからなっている。
【００２７】
開閉カバー１３ｂには、プロテクタ本体１２のコネクタ装着部２８と対応する位置で、機器側コネクタ６２に当接する当て板部５８が設けられている。当て板部５８は、細長いへら状の板片であって互いに交差する壁部で構成され、側壁４８の外側に突出形成されている。
【００２８】
このような構成によれば、ハーネス側コネクタに機器側コネクタ６２を接続する際には開閉カバー１３ｂを開けながらコネクタ接続が行われ、接続後は開閉カバー１３ｂを閉じることでコネクタがハーネスプロテクタ１０に固定される。開閉カバー１３ｂを閉じることで、機器側コネクタ６２に当て板部５８を押し当てることができる。
【００２９】
また、当て板部５８を互いに交差する壁部で構成することで、当て板部５８が機器側コネクタ６２に２面拘束状態で当接し、ハーネスプロテクタ１０の平面的な動きが拘束され、ハーネスプロテクタ１０の互いに直交する２方向のがたつきが防止される。
【００３０】
また、当て板部５８は、ブラケット装着部３０に対してプロテクタ本体１２の長手方向の反対側に位置しているため、ブラケット装着部３０はブラケット５５に支持固定され、当て板部５８は機器側コネクタ６２に当接支持されて、ハーネスプロテクタ１０は両側の２点で支持された状態となる。このため、相乗効果によりハーネスプロテクタ１０のがたつきがより確実に防止されるようになっている。
【００３１】
プロテクタ本体１２に対するプロテクタカバー１３の取り付けは、プロテクタ本体１２の上部開口１５に、プロテクタカバー１３を対向するように位置させ、プロテクタカバー１３をプロテクタ本体１２に接近させ、係止枠２９に係止片５０を差し込み係止させることにより行われる。
【００３２】
このような本実施形態の構成によれば、ハーネスプロテクタ１０の自由端側に位置する当て板部５８が機器側コネクタ６２に当接することで、ハーネスプロテクタ１０の相対的な動きが拘束され、車両振動によるハーネスプロテクタ１０のがたつきが防止される。また、プロテクタカバー１３を開閉自在とした開閉カバー１３ｂに当て板部５８を形成することで、コネクタ同士の接続作業性が損なわれることなく、当て板部５８を機器側コネクタ６２に押し付けることができる。さらに、ハーネスプロテクタ１０がブラケット５５と機器側コネクタ６２に２点で支持されるから、ハーネスプロテクタ１０のがたつきがより一層確実に防止される。
【００３３】
【発明の効果】
以上の如く、請求項１記載の発明によれば、プロテクタ本体にはコネクタ装着部が開口形成されているから、ハーネス側コネクタがコネクタ装着部に装着されることでその相対的な動きが拘束され、また、プロテクタカバーには当て板部が形成されているから、当て板部が機器側コネクタに当接することでハーネスプロテクタの車両搭載機器に対する相対的な動きが拘束される。従って、コネクタのがたつきや、ハーネスプロテクタのがたつきが防止されて、コネクタ接続の信頼性及びハーネスプロテクタの搭載安定性が向上する。
【００３４】
また、請求項２記載の発明によれば、当て板部の交差する壁部が固定側コネクタに２面拘束状態で当接するから、ハーネスプロテクタの平面的な動きが拘束され、ハーネスプロテクタの互いに直交する２方向のがたつきが防止される。従って、コネクタ接続の信頼性及びハーネスプロテクタの搭載安定性がより一層向上する。
【００３５】
また、請求項３記載の発明によれば、プロテクタカバーが固定カバーと開閉カバーとからなっているから、開閉カバーを開けることで、コネクタ同士の接続を容易に行うことができ、接続後は開閉カバーを閉じることで、ハーネスプロテクタにコネクタを固定することができ、機器側コネクタに当て板部を押し当てることができる。従って、コネクタ同士の接続作業性が損なわれることなく、機器側コネクタに当て板部を押し当てることができ、ハーネスプロテクタの組付作業性が向上する。
【００３６】
また、請求項４記載の発明によれば、当て板部がブラケット装着部の反対側に位置するから、ハーネスプロテクタがブラケットと機器側コネクタとに２点で支持された状態となる。従って、相乗効果によりハーネスプロテクタのがたつきがより一層確実に防止される。
【図面の簡単な説明】
【図１】本発明に係るハーネスプロテクタの概略構成を示す全体斜視図である。
【図２】図１に示すハーネスプロテクタの側面図である。
【図３】図１に示すハーネスプロテクタの底面図である。
【図４】図１に示すハーネスプロテクタの分解斜視図である。
【図５】図１に示すハーネスプロテクタの平面図である。
【図６】従来のハーネスプロテクタの一例を示す斜視図である。
【符号の説明】
１０　　　　ハーネスプロテクタ
１２　　　　プロテクタ本体
１３　　　　プロテクタカバー
１３ａ　　　固定カバー
１３ｂ　　　開閉カバー
２８　　　　コネクタ装着部
３０　　　　ブラケット装着部
４９　　　　ヒンジ部
５５　　　　ブラケット
５８　　　　当て板部
６２　　　　機器側コネクタ（固定側コネクタ）
【図１】
2004135431.tif 000003
【図２】
2004135431.tif 000004
【図３】
2004135431.tif 000005
【図４】
2004135431.tif 000006
【図５】
2004135431.tif 000007
【図６】
2004135431.tif 000008